(57)【要約】      （修正有）【課題】  洗車利用者へのきめ細かい抽選サービス運用を行なうこと。【解決手段】  洗車料金の精算時に、抽選機能を有する洗車料金精算装置において、標準当選確率を定めるとともに、特定の条件に応じて当選確率を変更するための当選倍率を定め、標準当選確率に当選倍率を用いて決定当選確率を算出し、決定当選確率を用いて当選判定を行なう手段を有するもの。【選択図】  図３
2006228052.tif 000002
【特許請求の範囲】
【請求項１】
洗車料金の精算時に、抽選機能を有する洗車料金精算装置において、
標準当選確率を定めるとともに、特定の条件に応じて当選確率を変更するための当選倍率を定め、
標準当選確率に当選倍率を用いて決定当選確率を算出し、決定当選確率を用いて当選判定を行なう手段を有することを特徴とする洗車料金精算装置。
【請求項２】
複数の条件毎の当選倍率を定め、それらの当選倍率の合算値を用いて前記決定当選確率を算出する手段を有する請求項１に記載の洗車料金精算装置。
【請求項３】
前記決定当選確率が一定確率を超えることのないように、当該決定当選確率を制限する手段を有する請求項１又は２に記載の洗車料金精算装置。
【請求項４】
請求項１〜３のいずれかに記載の洗車料金精算装置を付帯する洗車機。
【発明の詳細な説明】
【技術分野】
【０００１】
本発明は洗車料金精算装置に関する。
【背景技術】
【０００２】
洗車料金精算装置として、洗車料金の精算時に、抽選機能を有するものがあり、カードリードライタの印字機能を用いて当選番号を印字する運用サービスも行なわれている。
【発明の開示】
【発明が解決しようとする課題】
【０００３】
従来技術では、抽選の当選確率を商品価格帯、洗車時間帯、洗車キャンペーン期間等に関係なく一律に定め、その当選確率を用いて当選判定を行なっている。このため、高額商品、洗車が少ない時間帯、洗車キャンペーン期間中等の付加価値を高め、売上向上を図ることの抽選サービス運用に困難がある。
【０００４】
本発明の課題は、洗車利用者へのきめ細かい抽選サービス運用を行なうことにある。
【課題を解決するための手段】
【０００５】
請求項１の発明は、洗車料金の精算時に、抽選機能を有する洗車料金精算装置において、標準当選確率を定めるとともに、特定の条件に応じて当選確率を変更するための当選倍率を定め、標準当選確率に当選倍率を用いて決定当選確率を算出し、決定当選確率を用いて当選判定を行なう手段を有するようにしたものである。
【０００６】
請求項２の発明は、請求項１の発明において更に、複数の条件毎の当選倍率を定め、それらの当選倍率の合算値を用いて前記決定当選確率を算出する手段を有するようにしたものである。
【０００７】
請求項３の発明は、請求項１又は２の発明において更に、前記決定当選確率が一定確率を超えることのないように、当該決定当選確率を制限する手段を有するようにしたものである。
【０００８】
請求項４の発明は、請求項１〜３のいずれかに記載の洗車料金精算装置を付帯する洗車機である。
【発明の効果】
【０００９】
（請求項１）
(a)洗車料金精算装置は、商品価格帯、洗車時間帯、洗車キャンペーン期間等の特定の条件に応じて当選確率を変更するための当選倍率を定め、標準当選確率に当選倍率を用いて決定当選確率を算出し、決定当選確率を用いて当選判定を行なう。従って、高額商品、洗車が少ない時間帯、洗車キャンペーン期間中等の付加価値を高め、売上向上を図り、洗車利用者へのきめ細かい抽選サービス運用を行なうことができる。
【００１０】
（請求項２）
(b)洗車料金精算装置は、複数の条件毎の当選倍率を定め、それらの当選倍率の合算値を用いて決定当選確率を算出することにより、決定当選確率の算出効率を向上できる。
【００１１】
（請求項３）
(c)洗車料金精算装置は、決定当選確率が一定確率を超えることのないように、当該決定当選確率を制限することができる。
【００１２】
（請求項４）
(d)上述(a)〜(c)の洗車料金精算装置を洗車機に付帯させることができる。
【発明を実施するための最良の形態】
【００１３】
図１は洗車機に付帯した洗車料金精算装置を示す模式図、図２は当選確率算出用設定値を示す図表、図３は当選確率の制限処理フローを示す流れ図である。
【実施例】
【００１４】
洗車機１０は、図１に示す如く、洗車料金精算装置２０を付帯して備える。洗車料金精算装置２０は、洗車受付コントローラ２１に、カードリードライタ２２、硬貨識別装置２３、紙幣識別装置２４、操作パネル２５、表示器２６、領収書発行装置２７を接続して構成される。
【００１５】
カードリードライタ２２は、洗車料金の精算時に、洗車利用者が携帯する記録媒体カード１に記録されている金額、従前からの残りである残有効ポイント、今回の取得ポイント、残有効ポイントに従前からの利用済ポイントを含む総取得ポイント、カードのグレード種別等の情報を読み書きする。硬貨識別装置２３は投入硬貨枚数のカウントと返金処理を行なう。紙幣識別装置２４は挿入紙幣枚数のカウントと返金処理を行なう。操作パネル２５は商品（洗車メニュー）釦による選択と、選択可能商品を示すランプ表示を行なう。表示器２６は投入金額、選択された商品内容や商品金額の表示を行なう。領収書発行装置２７は精算内容の印字を行なう。
【００１６】
洗車受付コントローラ２１は、各機器２２〜２７との接続により、洗車商品の選択処理や精算処理を行ない、洗車機１０へ洗車情報を送る。洗車機１０は、洗車受付コントローラ２１から送られた洗車情報により、洗車対象車両に対する洗車処理を行なう。
【００１７】
しかるに、洗車料金精算装置２０は、洗車料金の精算時に行なう抽選動作に関し、（Ａ）当選確率の算出処理、（Ｂ）当選確率の制限処理、（Ｃ）当選判定処理を以下の如くに行なう。
【００１８】
（Ａ）当選確率の算出処理（図２）
(1)基本となる当選確率として、標準当選確率を定める（図２）。
【００１９】
(2)特定の条件に応じて当選確率を変更するための当選倍率を定める（図２）。例えば洗車コース毎の当選倍率を洗車商品別倍率Ｔmとし、カードのグレード毎の当選倍率をカードグレード別倍率Ｔgとし、洗車曜日毎の当選倍率を洗車曜日別倍率Ｔwとし、限定期間中の当選倍率を期間限定倍率Ｔdとし、限定時間帯中の当選倍率を時間帯限定倍率Ｔtとする。
【００２０】
(3)標準当選確率に当選倍率を用いて決定当選確率を算出する。このとき、複数の条件毎の当選倍率の合算値ΣＴiを用いて決定当選倍率を算出する。
ΣＴi＝Ｔm＋Ｔg＋Ｔw＋Ｔd＋Ｔt  …(1)
決定当選確率＝標準当選確率×（1.0＋ΣＴi）  …(2)
例えば、標準当選確率を1/10、ΣＴiを2とするとき、決定当選確率は3/10になる。
【００２１】
(4)上述(3)の決定当選確率を用いて後述する如くに当選判定を行なう。
【００２２】
この当選確率の算出処理によれば以下の作用効果を奏する。
(a)洗車料金精算装置２０は、商品価格帯、洗車時間帯、洗車キャンペーン期間等の特定の条件に応じて当選確率を変更するための当選倍率を定め、標準当選確率に当選倍率を用いて決定当選確率を算出し、決定当選確率を用いて当選判定を行なう。従って、高額商品、洗車が少ない時間帯、洗車キャンペーン期間中等の付加価値を高め、売上向上を図り、洗車利用者へのきめ細かい抽選サービス運用を行なうことができる。
【００２３】
(b)洗車料金精算装置２０は、複数の条件毎の当選倍率を定め、それらの当選倍率の合算値を用いて決定当選確率を算出することにより、決定当選確率の算出効率を向上できる。
【００２４】
（Ｂ）当選確率の制限処理（図３）
(1)前述（Ａ）当選確率の算出処理の(3)で算出した決定当選確率を予め定めた一定確率（例えば0.5）と比較し、決定当選確率がその一定確率を超えることのないように、当該決定当選確率を制限する。
【００２５】
例えば、決定当選確率が3/10、一定確率が0.5であれば、3/10をそのまま決定当選確率として用いる。他方、決定当選確率が0.5を超えていれば、決定当選確率を0.5に修正して用いる。
【００２６】
この当選確率の制限処理によれば以下の作用効果を奏する。
洗車料金精算装置２０は、決定当選確率が一定確率を超えることのないように、当該決定当選確率を制限することができる。
【００２７】
（Ｃ）当選判定処理
(1)例えば1〜1000の数列の中から１つの正数をとる。例えば62をとる。
【００２８】
(2)決定当選確率をA/10で表示する。例えば決定当選確率が3/10であれば、Ａ＝3である。
【００２９】
(3)前述(1)の62を決定当選確率の分母である10で除し、6余りＢ（Ｂ＝2）を得る。
【００３０】
(4)ＢとＡの大小を比較し、Ｂ＜Ａであれば当選、Ｂ≧Ａであれば落選とする。例えばＢ＝2、Ａ＝3であれば、Ｂ＜Ａであり、当選になる。この抽選結果は表示器２６に表示され、領収書発行装置２７で領収書に印字される他、カードリードライタ２２により記録媒体カード１に記録される。
【００３１】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００３２】
【図１】図１は洗車機に付帯した洗車料金精算装置を示す模式図である。
【図２】図２は当選確率算出用設定値を示す図表である。
【図３】図３は当選確率の制限処理フローを示す流れ図である。
【符号の説明】
【００３３】
１０  洗車機
２０  洗車料金精算装置
【図１】
2006228052.tif 000003
【図２】
2006228052.tif 000004
【図３】
2006228052.tif 000005